(57)【要約】  本発明は種々の形式の弾薬成分のような爆薬充填対象物（８）の破壊方法であって、前記対象物（８）の構成爆薬の起爆を達成するための、この目的のために意図された爆発室（１）内での破壊方法において、それぞれの爆薬の起爆が、前記対象物に対して外部のかつ前記対象物（８）と一緒に爆発室（１）に送出される電気的に活性化される起爆装薬（９，１０）により実施されることを特徴とする方法に関する。【選択図】  図１
2009530576.tif 000002
【特許請求の範囲】
【請求項１】
種々の形式の弾薬成分のような爆薬充填対象物（８）の破壊方法であって、前記対象物（８）の構成爆薬の起爆を達成するための、この目的のために意図された爆発室（１）内での破壊方法において、それぞれの爆薬の起爆が、前記対象物に対して外部のかつ前記対象物（８）と一緒に爆発室（１）に送出される電気的に活性化される起爆装薬（９，１０）により実施されることを特徴とする方法。
【請求項２】
爆薬充填対象物（８）が、この目的のために意図されたケーブル（１１）に吊り下げられて上から前記爆発室（１）中に降下されること、及び起爆装薬（９，１０）が、爆発室（１）の底の上に自由に吊り下げられた爆薬充填対象物（８）と共に活性化されることを特徴とする請求項１に記載の方法。
【請求項３】
破壊のための爆薬充填物質または対象物（８）を爆発室中に降下するために使用されるケーブル（１１）が、前記起爆装薬（９，１０）のための電導性点火ケーブルとしての二重機能を与えられていることを特徴とする請求項１または２に記載の方法。
【請求項４】
破壊に先立ち、破壊のために予定されている一つ以上の爆薬充填対象物（８）が、箱（７）内に包装され、この箱が、前記降下ケーブルに取付けられかつ電気点火器を備えるのに加えて、前記対象物（８）の構成爆薬の起爆を確保するために安価なスラリーまたはゲル爆薬（９）により高度にまたは低度に充填されることを特徴とする請求項１から３のいずれか一つに記載の方法。
【請求項５】
請求項１から４のいずれかに記載の方法を実施するための破壊装置において、それが、前記装置内で破壊されるべき爆薬充填対象物（８）のための装填ロック（４）を備えた防爆性爆発室（１）、及び爆薬充填対象物（８）と一緒に爆発室（１）中に送出された起爆装薬（９，１０）を起爆するための要素（１０，１４，１５）と一緒にホイスト装置の一部を形成するホイストまたは降下ケーブル（１１）に吊り下げられた爆発室（１）中に対象物（８）を降下するためのホイスト装置（１１，１２）を含むことを特徴とする破壊装置。
【請求項６】
構成ホイストまたは降下装置（１１，１２）が電導性二重ホイストケーブル（１１）を備えており、前記対象物（８）を爆発室中に降下するために対象物に固定されたその自由端が電気点火器に連結され、かつ実際のホイスト装置（１１，１２）に固定されたその他方の固定端が前記装置を介して従来技術で知られた形式の電気点火装置（１４，１５）に連結されていることを特徴とする請求項５に記載の破壊装置。
【発明の詳細な説明】
【技術分野】
【０００１】
本発明は、この目的のために意図された破壊または爆発室内で構成爆薬の爆発及び燃焼による爆薬充填対象物の破壊のための方法と装置に関する。本発明は主として、中口径及び大口径砲弾のような少し大きな爆薬充填対象物、及び高爆薬含量を持つ他の同様な対象物の破壊で使用するために意図されているが、それはまた、多数の小さい対象物をバッチで破壊するために有利に使用されることができる。
【０００２】
本発明さらに、外部加熱によるだけで迅速に爆発するのが困難であるかもしれないそれらの爆薬充填対象物の破壊での使用のために特に適している。かかる対象物の例は、当初は破片弾殻として意図された厚いケーシングを持つ砲弾を含む。本発明による方法により適当に破壊されることができる対象物の他の例は爆薬充填対象物であり、それらの爆薬含量は例えば不適切な貯蔵または極めて長い貯蔵時間のため、それらの外部加熱を通してだけでは起爆のための容量が疑問とみなされる段階に到達している。本発明による方法はまた、連続的にまたはバッチでこの目的のために意図された破壊室に供給される爆薬充填対象物の連続破壊を開始するのに有利に使用されることができる。この開始時の破壊室は、構成爆薬を瞬時に爆発させることを可能とするのに十分な熱を、破壊のために続いて送出される材料に自動的に供給されるのに十分な熱いスクラップをまだ装填されていない。
【０００３】
本発明による方法の特別な利点は、それがまた、破壊が実行される破壊室に対する摩滅を減らすのに役立つことである。
【背景技術】
【０００４】
冷戦が経過して以来、もはやどのような機能も満たさず、処分するのが最良であり、そして爆発及び燃焼による以外のどのような方法でもスクラップ化されるのが難しい、砲弾、地雷等のような古い廃弾薬の大量の貯蔵が世界中の多くの場所にある。これは、費用効果的に分解するのを可能とするには小さすぎる口径を持つ薬莢弾薬、または好ましくない条件下の長い貯蔵を通してそれらを分解しかつ構成爆薬を溶融して取出すことを試みることは誰がしても極めて危険すぎるものとなったそれらの弾薬成分を含むことができる。別の因子は、これらの弾薬成分が一般的に含む全ての価値あるスクラップ金属を利用したいという希望である。
【発明の開示】
【０００５】
かかる弾薬を野外で爆発したり、またはそれを海の深い水中にまたは廃坑に沈めたら、そこでは弾薬に含まれることが多い環境的に有害な成分が時間経過により環境を汚染したことから、幸いにも我々は今やそれを破壊すること、すなわちかかる余剰弾薬を特別な目的のために作られた破壊設備内で爆発することを十分に検討した。その設備は、工程中に形成された全てのスクラップを利用すること、及び同時に発生される全ての環境的に有害な燃焼ガスを精製することを可能とする。破壊は爆発と燃焼を組合せた工程として実施され、それは初期弾薬中に入っていた全ての爆薬を破壊し、従って最終生成物は再生されることができる無害のスクラップ金属である。
【０００６】
この明細書で使用される実際の破壊設備の基本的原理は、かかる設備の主要部が防爆かつ気密の爆発室を含み、その内側で爆薬を含む破壊のための物質が爆発されかつ／または燃焼され、従って当初爆薬を収容する全ての構成金属材料が無害スクラップ金属破片に転換され、一方いずれのプラスチックまたはゴム成分または他の燃焼可能な成分も燃焼されることである。破壊のための物質中の爆薬は通常、外部加熱により爆発するように作られ、特に破壊のための新しい物質がバッチで供給される連続操作破壊設備において先に破壊された材料からの熱いスクラップ金属の一部が通常、爆発室の底に保持され、熱を伝達し破壊のための物質の次のバッチを適当な起爆温度に加熱するために使用され、この起爆温度はＴＮＴ装薬の場合、例えば略５５０℃として算出されることができる。従って、かかる連続破壊工程では、破壊ための物質は保護ロックを介して先に形成された熱いスクラップの床中に投げられ、この熱いスクラップは熱源と爆発室の内部のためのあるセーフガードとの両方の機能を引き受け、このより一般的な基本的方法は、破壊のための物質中の実際の爆薬が妥当な時間内に爆発温度に達するのを防ぐ厚すぎる保護ケーシングにより囲まれない限りまたは爆薬が爆発するのが困難であるような疑わしい品質のものでない限り、優れた作業をする。
【０００７】
本発明によれば、起爆装薬はまず破壊のための物質に添加され、それは熱いスクラップの床中に投げ込まれる代わりに次いでこの目的のために意図されたラインまたはケーブルに吊られて爆発室中に降下されまたはホイストで爆発室の中心に近い点まで降下され、そこで起爆装薬が起動され、破壊のための物質の実際の爆薬含量が爆発されるという結果を持つ。爆薬充填対象物を破壊するこの方法の基本原理の一つはさらに、破壊のための物質を爆発室中に降下するために使用されるケーブルがまた、電気的に起動される起爆装薬のための電気点火ケーブルとしての役目をすることである。
【０００８】
本発明のさらなる展開では、破壊のための物質は、電気点火器により補なわれるだけでなく、それに添加された通例の起爆装薬を持ち、それは破壊のための物質ときわめて接近してもたらされる。これは、例えば本発明のさらなる展開で詳細に提案されるように、破壊のための物質を、それを爆発室に送出する前に簡単な容器または箱の中に包装することによりなされることができる。この容器は少なくとも部分的に安価なスラリーまたはゲル爆薬を充填されており、その中に本発明の考えによる電気点火器が置かれる。かかる容器または箱内に破壊のための物質を追加の起爆装薬と一緒に置くことは、万一それが劣った品質のものであったとしても、破壊のための物質内の構成爆薬の確実な起爆を含む幾つかの利点を与える。同時に、破壊のための一つ以上の対象物を選択的に送出することが可能であり、この目的のために使用される容器または箱は、起爆及び降下するための組合されたケーブルのための適当な取付け点により最初から提供されることができる。
【発明を実施するための最良の形態】
【０００９】
本発明は、以下の特許請求項により綿密に特定されており、本発明の特徴の形式の破壊設備の主要部を概略的縦断面で示す添付図面に関してより詳細に今や単に説明されるであろう。
【００１０】
従って、図面に概略的に示された破壊装置は実際の爆発室１を含み、それは上部に装填開口２を備えており、それは保護ハッチ３により閉じられることができる。装填開口２中への開口は装填トンネル４であり、それはまた、第二の開かれることができる保護ハッチ５により外向きに閉じられる。安全上の理由のため、保護ハッチ３と５は一度に一つのみを開くことができる。それにより、それらは一緒に、保護された装填ロックに対する装填トンネル４を構成する。破壊のために作り上げられたバッチ６は、爆発室１中への装填のための準備ができている状態で、かつ装填ロックの内側で示されている。装填ロック４の外側で作り上げられた破壊のためのバッチ６は、明確化のために断面で描かれている。図面から見ることができるように、破壊のためのバッチ６は外側の箱形状容器７を含み、その中に破壊のための実際の物質がここでは大口径砲弾８の形で描かれている。ある量のゲル爆薬９及び電気点火器１０がさらに容器７に加えられている。点火器１０はまた、降下ケーブル１１に連結され、それはさらに、電気点火器１０のための電気点火ケーブルとしての二重機能を満たす。開始位置では組合された降下及び電気点火ケーブル１１はケーブルリール１２に巻かれており、それからそれは第一滑車１３の上を走行する。ケーブルリール１２で、降下及び電気点火ケーブル１１の電導性部分は電流源１４の形の点火機能及び起爆回路ブレーカー１５に連結される。
【００１１】
ケーブルリール１２は組込まれたブレーキ機能を備えており、それは破壊のためのバッチを運ぶ容器７をケーブル１１の延長を通していずれの希望の位置でも保持するために使用されることができる。装填ロック４は水平面に関して本質的に十分傾斜しており、容器７をブレーキなしにロックの下に動かす。もしそう望むなら、装填ロック７はまた、容器７を装填ロック４内にキャッチ１６が再活性化されるまで保つために、特別なブレーキ機能（ここでは１６により示されている）を備えることができる。
【００１２】
破壊が起動されるとき、その機能は次のようである：ケーブル１１がゆるめられるかまたはキャッチ１６が再活性化されるかに係わらず、保護ハッチ３が開かれるとすぐに、容器７は、装填ロック４の真直ぐな延長を表す装填走路１７に沿って移動するであろう。装填走路１７の終りで容器７は端縁の上で傾き、一方ケーブル１１はこの目的のために意図された滑車１８の上を走行し、それによりケーブル１１に吊り下げられた容器７は、図面に示された最終位置１９に降下され、その位置で点火器１０が活性化され、破壊のためのバッチ及び容器７はスクラップ金属に変換される。爆発室の中心での破壊を行なうことは爆発室への摩滅を最小とする。破壊が進行中であるときに新しい容器７が連続的に準備される。
【図面の簡単な説明】
【００１３】
【図１】本発明の特徴の形式の破壊設備の主要部を概略的縦断面で示す。
【図１】
2009530576.tif 000003
【手続補正書】
【提出日】平成19年9月26日(2007.9.26)
【手続補正１】
【補正対象書類名】図面
【補正対象項目名】図１
【補正方法】変更
【補正の内容】
【図１】
2009530576.tif 000004
【国際調査報告】
2009530576.tif 000005
2009530576.tif 000006
2009530576.tif 000007